(57)【要約】      （修正有）【課題】ライト自体がテーブルから突出しているため就寝中の夜中に目を覚まして小用に立つ際にぶつけたりするなどの事故で痛い思いや、ぶつけた際に照明を落したりして壊してしまうことのない、照明装置を内蔵するサイドテーブルを提供する。【解決手段】サイドテーブル１の立ち上がり部分に照明を内蔵する事で、暗闇でもサイドテーブル１上の物を認識でき、また、照明がサイドテーブル天板５上に取り付き、突出量が少ないので、照明を壊す心配もなくなるようにした。【選択図】図１
2011146356.tif 000002
【特許請求の範囲】
【請求項１】
サイドテーブル天板と、前記サイドテーブル天板と一体的に固定されていて、前記サイドテーブル天板上に位置する立ち上がり部材と、前記立ち上がり部材近傍に配置された発光体があり、前記サイドテーブル天板の上を前記発光体により照らす事を特徴とするサイドテーブルの照明装置。
【請求項２】
請求項１に於いて、前記立ち上がり部材がサイドテーブル天板中央近傍に位置し、前記立ち上がり部材近傍に配置された発光体により、前記サイドテーブル天板の上を前記発光体により照らす事を特徴とするサイドテーブルの照明装置。
【請求項３】
請求項１に於いて、前記立ち上がり部材がサイドテーブル天板の外周端付近に位置し、前記立ち上がり部材近傍に配置された発光体により、前記サイドテーブル天板の上を前記発光体により照らす事を特徴とするサイドテーブルの照明装置。
【請求項４】
請求項２、請求項３に於いて、前記立ち上がり部材に光透過板体を配置し、前記発光体からの光を前記光透過板体の内部を通過させ、前記サイドテーブル天板の上を照らす事を特徴とするサイドテーブルの照明装置。
【請求項５】
請求項４に於いて、前記立ち上がり部材と、前記立ち上がり部材と締結可能な挟み部材とがあり、前記光透過板体を前記立ち上がり部材と前記挟み部材の間に配置させ前記発光体からの光を前記光透過板体の内部を通過させ、前記サイドテーブル天板の上を照らす事を特徴とするサイドテーブルの照明装置。
【発明の詳細な説明】
【技術分野】
【０００１】  本発明はサイドテーブルに設けられた照明装置に関する。
【背景技術】
【０００２】  サイドテーブル天板上を照らす照明は、特許文献２のようなライトをサイドテーブル上に置くのみであり、そのライトを点灯してサイドテーブル上を照らす方法を取っている。或いは、特許文献１のようにサイドテーブルの本体内に照明を配置してその照明を投光窓を介して内部よりサイドテーブル天板を照らす方法を取っている。
【先行技術文献】
【特許文献】
【０００３】
【特許文献１】特開２００７−３２５４７５
【特許文献２】特開２００７−１６７０８３
【発明の概要】
【本発明が解決しようとする課題】
【０００４】  しかしながら、不慣れなホテル等の宿泊施設を使用した時に、特許文献２のようなサイドテーブルの照明が設置してあった場合、ライト自体がテーブルから突出しているため就寝中の夜中に目を覚まして小用に立つ際にぶつけたりするなどの事故で痛い思いや、ぶつけた際に照明を落したりして壊してしまう問題がある。
【０００５】  また、特許文献１記載の技術では、照明を下から照射するため、光源が直接目に入ってしまい、非常に眩しいため、サイドテーブル上の対象物を照らしても、はっきりと対象物を見ることができず、サイドテーブル上を照らす照明としては機能しない問題がある。
【０００６】  同時に、特許文献１記載の技術では美観に優れるものではなく、非常用の照明としての機能のみであるという問題点もあった。
【０００７】  本考案はこのような事情に鑑み、立ち上がり部材に照明装置を内蔵するサイドテーブルを提供する事を目的とする。
【課題を解決するための手段】
【０００８】  上記課題を解決するために請求項１記載のサイドテーブルの照明装置は、サイドテーブル天板と、前記サイドテーブル天板と一体的に固定されていて、前記サイドテーブル天板上に位置する立ち上がり部材と、前記立ち上がり部材近傍に配置された発光体があり、前記サイドテーブル天板の上を前記発光体により照らす事を特徴とする。
【０００９】  請求項２記載のサイドテーブルの照明装置は、請求項１に於いて、前記立ち上がり部材がサイドテーブル天板中央近傍に位置し、前記立ち上がり部材近傍に配置された発光体により、前記サイドテーブル天板の上を前記発光体により照らす事を特徴とする。
【００１０】  請求項３記載のサイドテーブルの照明装置は、請求項１に於いて、前記立ち上がり部材がサイドテーブル天板の外周端付近に位置し、前記立ち上がり部材近傍に配置された発光体により、前記サイドテーブル天板の上を前記発光体により照らす事を特徴とする。
【００１１】  請求項４記載のサイドテーブルの照明装置は、請求項２、請求項３に於いて、前記立ち上がり部材に光透過板体を配置し、前記発光体からの光を前記光透過板体の内部を通過させ、前記サイドテーブル天板の上を照らす事を特徴とする。
【００１２】  請求項５記載のサイドテーブルの照明装置は、請求項４に於いて、前記立ち上がり部材と、前記立ち上がり部材と締結可能な挟み部材とがあり、前記光透過板体を前記立ち上がり部材と前記挟み部材の間に配置させ、前記発光体からの光を前記光透過板体の内部を通過させ、前記サイドテーブル天板の上を照らす事を特徴とする。
【発明の効果】
【００１３】  本発明によれば、サイドテーブル天板の立ち上がり部材近傍に配置された発光体によりサイドテーブル天板の上を照らす事で、暗闇でもサイドテーブル上の物体を認識しやすくなる。また、照明自体が天板の立ち上がり部に内蔵することで、突出量も少なくて済む。また従来からあるサイドテーブル外周部分の立ち上がり部分に照明を内蔵すれば、照明内蔵に伴う新たな突出物が無くなる。これにより暗闇で照明を点灯していていない状態でも、不意の衝突で照明を壊す心配が無くなる。照明にＬＥＤを使用する事で照明に使用する電力の削減もできる。それと同時に意匠性を高めることが出来る。
【図面の簡単な説明】
【００１４】
【図１】実施例１に係わるサイドテーブルの斜視図である。
【図２】実施例１に係わるサイドテーブルの発光部分断面図である。
【図３】実施例２に係るサイドテーブルの斜視図である。
【図４】実施例２に係るサイドテーブルの発光部分断面図である。
【発明を実施するための形態】
【００１５】  以下、本発明の実施形態について図面を参照して詳細に説明する。
【００１６】  図１、図２において実施例１を説明する。図１は実施例１の斜視図である。図２は実施例１の発光部分断面図である。
【００１７】  サイドテーブル本体１に固定されたサイドテーブル天板５があり、立ち上がり部材２ｂはサイドテーブル天板５に固定されている。光透過板体３と挟み部材２ａは図示しないボルトで一体的に立ち上がり部材２ｂに固定されている（図１）。発光体２１は発光体押さえ４に一体的に固定されている。そしてその発光体押さえ４は図示しないボルトで立ち上がり部材２ｂに固定されている。光透過板体３には発光体２１の近傍においてスリット３ｃを形成している（図２）。
【００１８】  図示していない電源より供給された電力により、発光体２１が発光すると、その光は光透過板体３のスリット３ｃ部分で屈折して、光透過板体内を進み、光透過板体３の側面３ｂ、側面３ａで全反射条件に適合する光が全反射を繰り返し、光透過板体３の端面３ｄから射出（光６）する。これにより、サイドテーブル天板１５上に置かれた物に光が照射され、暗闇でも物を認識できる。
【００１９】  図３、図４において実施例２を説明する。図３は実施例２の斜視図である。図４は実施例２の発光部分断面図である。
【００２０】  サイドテーブル天板１５はサイドテーブル本体１１に固定されている。立ち上がり部材１３は円筒形の形状をしていて、光を透過する事ができる部材で形成されている。そして、立ち上がり部材１３と挟み込み部材１２は図示しないボルトで一体的にサイドテーブル天板１５に固定されている。（図３）。発光体２１は挟み込み部材１２の発光体取り付け部分１２ａに一体的に固定されている。
【００２１】  図示していない電源より供給された電力により、発光体２１が発光すると、その光は立ち上がり部材１３を透過する。これによりサイドテーブル天板１５上に置かれたものに光が照射され、暗闇でも物を認識できる。
【００２２】  実施例１、２において発光体２１はＬＥＤやＥＬ（エレクトロルミネセンス）等を使用してもよい。また、光透過板体３、立ち上がり部材１３はアクリル樹脂やガラス等の素材でもよい。
【産業上の利用可能性】
【００２３】  本発明は、サイドテーブルの照明装置以外にもテーブルやテレビ台など家具に取り付ける照明装置などに利用することができる。
【符号の説明】
【００２４】１、１１      サイドテーブル本体
２ｂ、１３    立ち上がり部材
１２、２ａ    挟み込み部材
３            光透過板体
３ａ、３ｂ    光透過板体側面
３ｃ          スリット面
３ｄ          光透過板体端面
４            発光体押え
２１          発光体
６            光
５、１５      サイドテーブル天板
【図１】
2011146356.tif 000003
【図２】
2011146356.tif 000004
【図３】
2011146356.tif 000005
【図４】
2011146356.tif 000006